(57)【要約】      （修正有）【課題】受信メガネが受け取る画面を、大脳に伝送して結合後、立体画面、或いはゲーム及び画像を観視可能である平面映像を立体映像に転換する装置を提供する。【解決手段】映像整形器、分圧器を利用し、特殊な原理を通して、映像を分離後、奇数映像と偶数映像と成し、時間差コントローラーを利用して、奇数／偶数映像に遅延を生じさせ、水平シフト回路を通した後、映像ソフトを形成すると同時に動作し、デジタルディテクターにまで映像を伝送し、映像回路に入力し、奇数／偶数映像をそれぞれ映像整形器と分圧器に送り、映像発振器を経て左右コントローラーを分離した後、転移コントローラーに送り、映像転移調整ボタンを提供し、適当に転移を調整し、奇数／偶数水平シフト映像を出力するＩＲ回路を経た後、奇数／偶数水平シフト映像を受け取るＩＲメガネにより受け取る。【選択図】図３
0003160340.tif 000002
【実用新案登録請求の範囲】
【請求項１】
映像入力回路、映像制御回路、奇数/偶数水平シフト映像を出力するIR回路、奇数/偶数水平シフト映像を受け取るIRメガネを備え、
映像は、前記映像入力回路から、映像整形器を経て分圧器に至り、
映像転移は、R、G、Bを分離し、さらに前記映像制御回路に伝送し、奇数映像と偶数映像を分離し、
分離後は、時間差コントローラーを通じて水平シフト回路を生じ、ピクセルディテクターへと伝送し、
さらに、前記映像入力回路を通して、２本の伝送線路を生じ、
第一線路では、映像を分離後に、映像整形器に伝送し、さらに分圧器に伝送し、映像転移発振器を経過後、左右調整器を通して、転移コントローラーへと至り、映像の水平位置を調整し、
第二線路では、前記映像入力回路を通して、奇数映像及び偶数映像を、前記奇数/偶数水平シフト映像を出力するIR回路上に伝送し、IR或いは伝送を通して、信号を、前記奇数/偶数水平シフト映像を受け取るIRメガネ上に伝送し、前記IRメガネの光学原理が生じる左右目の遮蔽効果と人体生理上の視覚一時停止作用を通して、大脳により組合せを行い、立体画面を表示することを特徴とする平面映像を立体映像に転換する装置。
【請求項２】
前記装置中には、映像転移調整ボタンを設置し、観視時に、個人の必要に応じて適度に調整することができることを特徴とする請求項１に記載の平面映像を立体映像に転換する装置。
【請求項３】
前記奇数/偶数水平シフト映像を受け取るIRメガネは、液晶チップ(CF)を採用することを特徴とする請求項１に記載の平面映像を立体映像に転換する装置。
【考案の詳細な説明】
【技術分野】
【０００１】
本考案は平面映像を立体映像に転換する装置に関し、特に普通の平面画面、ゲーム、映画などの単一画面を、物理原理を利用し、電子技術と結びつけ、映像を２個の順序を有する水平シフト画面に転換し、これにより立体画面の表示を達成し、さらに人体の整理原理である人体視覚一時停止機能を通して、受信メガネが受け取る画面を、大脳に伝送して結合後、立体画面、或いはゲーム及び画像を観視可能である平面映像を立体映像に転換する装置に関する。
【背景技術】
【０００２】
早期の立体映像は、赤と青の偏光レンズを通して発生させ、視覚上の差異を利用し立体としていた。テクノロジーの発展により生まれたのは、ソフトを利用して映像を立体とする方式で、映像の形成後、両目で観視する時に立体効果を生じるが、立体効果は本当の立体の半分に過ぎず、本当の立体映像を完全に現出させることはできていない。  
【０００３】
コンピューターの誕生以来、すべてのコンピューター１００は、平面画面１０１を主とする(図１参照)。しかし、現在まで続く発展において、あらゆるハイテクメーカーは、コンピューターの研究開発に力を尽くしており、処理速度、容量において、普通の人の想像を超えるまでになっている。しかも、コンピューターの普及率と家庭への浸透率は日増しに高まっており、すべての人が既に日常生活において、コンピューターを使用してテレビを観賞し、文書を作成し、ゲームを楽しみ、インターネットに接続し、設計し、ビデオを観賞するようになっており、あらゆることがコンピューターに集中するようになっている。コンピューターはその発展において、既にすべてを支援可能となっており、テクノロジーは無限の想像空間に広がるかのようである。想像があれば理論もあり、理論があれば、当然いわゆる製作もある。製作の過程において、無限で幅広い製品の生産は必ずなされ、製品の生産の前に、現行のテクノロジーと原理を結合させる他に、より重要なことは、普遍の定律時間を変えることで、使用者を満足させる他、使用者がハイテク製品中に溶け込むことができるようにすることである。本考案は、上記した想像の中から誕生した製品を提供するものである。
【考案の概要】
【考案が解決しようとする課題】
【０００４】
物理原理を利用し電流に時間を発生させ、特殊な電子原理を経て時間差を発生させ、物理原理結合後に発生する平面転移現象を経過し、さらに人体の生理原理を通して、人体左右の目の受け取る映像を利用し、大脳の結合を経過して、特殊な電子メガネレシーバーを通して、両目を経た後、大脳の運用により、立体効果を発生し、この効果は平面を立体化することができるばかりか、生活に面白みを溶け込ませ、テクノロジーと生活に相補、相乗の境界を達成させ、より良いバーチャルリアリティの効果を実現することができる平面映像を立体映像に転換する装置を提供することである。
【課題を解決するための手段】
【０００５】
上記課題を解決するため、本考案は下記の平面映像を立体映像に転換する装置を提供する。
平面映像を立体映像に転換する装置は、映像入力回路、映像制御回路、奇数/偶数水平シフト映像を出力するIR回路、奇数/偶数水平シフト映像を受け取るIRメガネを備え、
映像は、該映像入力回路を経て入力され、映像を分離し、色彩を分離し、さらに該映像制御回路を通して、映像を奇数映像と偶数映像に分離し、奇数/偶数映像に分離した時には、時間差コントローラーを利用し、奇数映像或いは偶数映像に遅延を生じさせ、水平シフト回路コントローラーを経て統合後、映像を発生し、ピクセルディテクターへと伝送し、映像の色彩を復元し、
該映像入力回路を通して、２つに分け、
一つでは、映像整形器と分圧器を経た後、映像を修正して左右転移信号を発生し、左右転移信号を、転移コントローラーに連結し、
映像転移調整ボタンを通して、個人の必要に応じて適度に調整することができ、
もう一つでは、映像を処理後に、該映像入力回路を通して、映像を奇数/偶数水平シフト映像を出力するIR回路上に伝送し、さらに奇数/偶数水平シフト映像を受け取るIRメガネを通して受け取り、
該IRメガネは、光学原理を通して、左右目の遮蔽効果を発生し、人の生理原理には一時的な視覚遅延効果があるため、この原理を利用して、CFレンズを通して平行転移映像を受け取り、大脳で組合せを行い、立体画面を現出させる。
【考案の効果】
【０００６】
本考案平面映像を立体映像に転換する装置は、映像整形器、分圧器を利用し、特殊な原理を通して、映像を分離後、奇数映像と偶数映像と成し、時間差コントローラーを利用して、奇数/偶数映像に遅延を生じさせ、水平シフト回路を通した後、映像ソフトを形成すると同時に動作し、デジタルディテクターにまで映像を伝送し、映像回路に入力し、奇数/偶数映像をそれぞれ映像整形器と分圧器に送り、映像発振器を経て左右コントローラーを分離した後、転移コントローラーに送り、映像転移調整ボタンを提供し、適当に転移を調整し、奇数/偶数水平シフト映像を出力するIR回路を経た後、奇数/偶数水平シフト映像を受け取るIRメガネにより受け取り、こうして立体映像を観視する効果を達成することができ、一切のソフト、或いはハードウエアを通す必要がなく、この装置を通すだけで、立体効果を達成可能で、その装置構造は前代未聞であり、新規性と進歩性を備えており、高い実用の価値を備える考案である。
【図面の簡単な説明】
【０００７】
【図１】等しく平面画面を主とするすべてのコンピューターを示す模式図である。
【図２】本考案装置と映像シフトを示す模式図である。
【図３】本考案装置の回路図である。
【考案を実施するための形態】
【０００８】
図２、３に示すように、本考案平面映像を立体映像に転換する装置１０は、映像入力回路１、映像制御回路２、奇数/偶数水平シフト映像を出力するIR回路３、奇数/偶数水平シフト映像を受け取るIRメガネ４を備える。映像は、映像入力回路１から、映像整形器１１を経て分圧器１２に至る。映像転移１３は、R、G、Bを分離し、さらに映像制御回路２に伝送し、奇数映像２１と偶数映像２２を分離する。分離後は、時間差コントローラー２３を通じて水平シフト回路２４を生じ、ピクセルディテクター２５へと伝送する。さらに、映像入力回路１を通して、２本の伝送線路を生じる。第一線路では、映像を分離後に、映像整形器１１aに伝送し、さらに分圧器１２a上に伝送し、映像転移発振器１４Bを経過後、左右調整器１５を通して、転移コントローラー１６へと至り、映像の水平位置を調整する。第二線路では、映像入力回路１を通して、奇数映像２１a及び偶数映像２２aを、奇数/偶数水平シフト映像を出力するIR回路３上に伝送し、IR或いは伝送を通して、信号を、奇数/偶数水平シフト映像を受け取るIRメガネ４上に伝送する。
【０００９】
本考案の運用について、以下に説明する。コンピューター映像画面を、平面映像を立体映像に転換する装置の原理を利用し、奇数/偶数映像を適度にシフトし、発生した映像は、スクリーンに表示された後、奇数/偶数映像を受け取るIRメガネを利用して受け取る。受け取った後は、IRめがねCFレンズ(液晶板)の快速遮蔽機能を通して、立体映像を発生させる。
【００１０】
本考案は立体シフト装置を通して映像をシフトするため、ソフト或いは他の装置の利用を必要とせずに、映像をシフトして出力することができる。シフト映像を出力後は、奇数/偶数映像を受け取るIRメガネを利用して、静態画面、写真、PCゲーム、ビデオ、インターネットの画面、さらには使用しているオペレーションシステムなどを受け取ることができる。このように、この立体シフト装置を設置するだけで、立体及び平面映像を簡単に操作、制御することができる。装置中には、映像転移調整ボタン５を設置するため、観視時に必要に応じて適度に調整することができる。
【００１１】
IRメガネはCFカラーメモリで、ハイテク技術を利用して生産される製品であるため、液晶チップ上に生じる毎秒1000回数に達する更新周波数を通して、観視時に、点滅が発生し、観視の品質に影響を及ぼすことはない。分離映像が伝送される時には、液晶チップメガネ上の赤外線受信器により受け取り、こうして直ちに立体効果を達成することができる。
【００１２】
本考案の運用原理とその特徴は以下の通りである。
１．電子原理：映像伝送は、コンピューター本体に搭載されるグラフィックカードを利用し、映像を圧縮処理しグラフィックカードから直接モニターへと表示する。さらに、搭載されるオペレーションシステムとグラフィックカードドライバーソフトを利用し、映像を生き生きと表示し、グラフィックカード上に電子原理を利用し、色彩をより生き生きと、より多様にする。
２．物理原理：映像が伝送され受け取られる時、多数のプロセスを経過する。映像が圧縮され映像が解凍されるまで、取り込まれたあと再生されるまで、再構築から復元まで、すべて数本のルートを経過し、初めてリアルな画面が出現する。このルートは、電圧と電流が生じる多層の光覚原理を経過する。電圧と電流は映像伝送の問題を決定する他、それが生じる映像ボルト数などもすべて、映像と音声の品質を決定する。物理原理の処理により、電圧と電流の進行方向を変化させ、またはその電圧或いは電流を低下させ、これにより生じる映像も変化し、或いは異なるものとなる。伝送過程において色彩及び音声を改変しないが、映像は既に物理変化及び電子伝送を経て変化しており、特殊な処理を経て復元され、異なる画面を得ることができ、さらに、映像受け取りを通して、立体映像を眼前に現出させることができる。
３．人体生理原理：人体の生理構造の多くは人それぞれであるが、反応と処理ロジックは大方において大同小異である。情報が通過すると、両目または両耳、或いは触覚などはみな、大脳の左右両側での処理を経た後に反応する。大脳は、処理過程において、いわゆる反応処理の現況一時停止を生じる。反応が一時停止する時間は非常に短く、大脳処理が速ければ速いほど反応も速くなるが、速度がどれほど速くても、やはり一時停止の時間は生じる。この一時停止時間が、物理原理と電子原理の反応を結びつけ、異なる画面を発生する。
４．視覚一時停止原理：両目でものを見る時には、左右両目を経て見ているが、左目で見た角度及び位置と、右目で見た角度及び位置には、すべて差がある。両目を経過し、大脳による統合を反映して現れるものが、もし映像画面とするなら、視覚一時停止原理を利用し、映像を特殊レシーバーを通して、目に送り目で見る時、立体となって表示される。
５．映像レシーバー(メガネ)：ハイテク製品であるCF(液晶板)を利用し、人体の視覚一時停止を、生理から電子制御に改変する。CFの快速遮蔽機能は、人体の反応速度の何倍も速いが、それを通して受け取る時には不適応感を生じることはない。反対に、観視時には、より立体的で、より明晰で、色彩はよりリアルとなり、画面は精緻となる。
６．運用レベル：映像の伝送を通して、映像を、各ソフト中から取り込み、圧縮して伝送する。伝送時には、グラフィックカードの解凍を経て受け取る。受け取り後は、ノイズを除去し、リアルな映像と色彩を復元し、物理原理を利用し、映像が時間差を発生後、再び復元し、さらに映像を出力する。人体の生理原理と視覚一時停止機能を利用し、映像レシーバー(メガネ)により映像を受け取り、こうして異なる立体画面を表示することができる。
７．映像の伝送は、数本の伝送を経過するが、圧縮から解凍までの過程では、映像を眼前へと伝送する。映像が送られる時、受け取り、発送などを経過するが、両目から大脳までの組合せ反応などを通して、その送られた映像内容を感じる。この過程において、人体が経る生理原理反応は、非常に重要な一環で、電子伝送はやはり機器原理、及び物理原理を通して、組み合わされる。映像はあらゆるディスプレーを通して、眼前に表示される時、その反応の速度は、毎秒60個の画面を表示するほどの速度で、各目は30個の画面を見ているに等しい。画面が各目により受け取られた後、左目が見ているものと右目が見ているものとは、角度及び方向がすべて異なるため、両目による組合せを経ると、可視の範囲映像に変化して、目には見えるようになる。
８．左目で左側を見て、右目で右側を見る方法を利用して観視し、さらに液晶メガネの遮蔽機能を通し、両目を経て観視するなら、見える画面は、動態であろうと静態であろうと、すべて立体の映像として現れる。いかにして画面に立体映像を生じさせるか。一般の画面伝送はすべて平面であり、制作方法も平面方式により撮影されるため、観視時にも当然平面である。しかし、映像水平シフト時に生じる迅速シフトを経過し、さらに特殊レシーブメガネを利用して、人体の視覚一時停止機能を経ることで、立体に見ることができる。
９．相同の映像を平行シフトし、電子伝送と物理作用原理を経過すれば、立体画像を見ることができ、ビデオ、PCゲームなどでもみな相同である。
１０．人体の視覚一時停止：映像を受け取り大脳へと伝送すると、人体の目の組合せ及び受け取った角度を経て左右脳に送り、分析し、透視し、組合せし、こうして目に見える画面を生じる。伝送の過程において、いわゆる視覚一時停止を経過し、目が立体画像を観視する時、視覚の関係により発生し得る変化は、時には上向きの感覚で、時には下向きの感覚である。これがいわゆる人体の生理原理である。
【００１３】
テクノロジーは日進月歩で、絶えず新しく進歩を続けている今、個人の生活の質を高めるため、品質を向上させる時、いかにして新製品を発明し、すべての人がハイテクがもたらす利益を享受可能とすることが求められている。
【００１４】
電子製品、光学、デジタル、バイオテクノロジーなどの従来の製品において、その発展の速度は既に非常に高速だが、テクノロジーとバイオテクノロジーを一体に結び付けることが、我々の目標であり、我々の技術の重点である。今日、この製品はテクノロジーとバイオテクノロジーを結合し、人々が生活において、異なるバーチャルリアリティを得て、さらに一層の色彩を加える製品の開発に成功した。平面映像を立体に転換する装置を利用し、すべての映像、動画、ゲームを立体に転換し、立体メガネを通して受け取り、観視する。
これにより、レジャーと仕事を融合させ、生活をより豊かでバラエティに富んだものとすることができる。これこそ一種の多元化された発明に他ならない。
【００１５】
上記したように、本装置は、映像整形器、分圧器を利用し、特殊な原理を通して、映像を分離後、奇数映像と偶数映像と成し、時間差コントローラーを利用して、奇数/偶数映像に遅延を生じさせ、水平シフト回路を通した後、映像ソフトを形成すると同時に動作し、デジタルディテクターにまで映像を伝送し、映像回路に入力し、奇数/偶数映像をそれぞれ映像整形器と分圧器に送り、映像発振器を経て左右コントローラーを分離した後、転移コントローラーに送り、映像転移調整ボタンを提供し、適当に転移を調整し、奇数/偶数水平シフト映像を出力するIR回路を経た後、奇数/偶数水平シフト映像を受け取るIRメガネにより受け取り、こうして立体映像を観視する効果を達成することができ、一切のソフト、或いはハードウエアを通す必要がなく、この装置を通すだけで、立体効果を達成可能で、その装置構造は前代未聞であり、新規性と進歩性を備えており、高い実用の価値を備える考案である。
【符号の説明】
【００１６】
１０  平面映像を立体映像に転換する装置
１  映像入力回路
２  映像制御回路
３  奇数/偶数水平シフト映像を出力するIR回路
４  奇数/偶数水平シフト映像を受け取るIRメガネ
５  映像転移調整ボタン
１１、１１a  映像整形器
１２、１２a  分圧器
１３  映像転移
１４  映像転移発振器
１５  左右調整器
１６  転移コントローラー
２１、２１a  奇数映像
２２、２２a  偶数映像
２３  時間差コントローラー
２４  水平シフト回路
２５  ピクセルディテクター
【図１】
0003160340.tif 000003
【図２】
0003160340.tif 000004
【図３】
0003160340.tif 000005
【手続補正書】
【提出日】平成22年4月2日(2010.4.2)
【手続補正１】
【補正対象書類名】明細書
【補正対象項目名】全文
【補正方法】変更
【補正の内容】
【考案の詳細な説明】
【技術分野】
【０００１】
本考案は平面映像を立体映像に転換する装置に関し、特に普通の平面画面、ゲーム、映画などの単一画面を、物理原理を利用し、電子技術と結びつけ、映像を２個の順序を有する水平シフト画面に転換し、これにより立体画面の表示を達成し、さらに人体の整理原理である人体視覚一時停止機能を通して、受信メガネが受け取る画面を、大脳に伝送して結合後、立体画面、或いはゲーム及び画像を観視可能である平面映像を立体映像に転換する装置に関する。
【背景技術】
【０００２】
早期の立体映像は、赤と青の偏光レンズを通して発生させ、視覚上の差異を利用し立体としていた。テクノロジーの発展により生まれたのは、ソフトを利用して映像を立体とする方式で、映像の形成後、両目で観視する時に立体効果を生じるが、立体効果は本当の立体の半分に過ぎず、本当の立体映像を完全に現出させることはできていない。
【０００３】
コンピューターの誕生以来、すべてのコンピューター１００は、平面画面１０１を主とする(図１参照)。しかし、現在まで続く発展において、あらゆるハイテクメーカーは、コンピューターの研究開発に力を尽くしており、処理速度、容量において、普通の人の想像を超えるまでになっている。しかも、コンピューターの普及率と家庭への浸透率は日増しに高まっており、すべての人が既に日常生活において、コンピューターを使用してテレビを観賞し、文書を作成し、ゲームを楽しみ、インターネットに接続し、設計し、ビデオを観賞するようになっており、あらゆることがコンピューターに集中するようになっている。コンピューターはその発展において、既にすべてを支援可能となっており、テクノロジーは無限の想像空間に広がるかのようである。想像があれば理論もあり、理論があれば、当然いわゆる製作もある。製作の過程において、無限で幅広い製品の生産は必ずなされ、製品の生産の前に、現行のテクノロジーと原理を結合させる他に、より重要なことは、普遍の定律時間を変えることで、使用者を満足させる他、使用者がハイテク製品中に溶け込むことができるようにすることである。本考案は、上記した想像の中から誕生した製品を提供するものである。
【考案の概要】
【考案が解決しようとする課題】
【０００４】
物理原理を利用し電流に時間を発生させ、特殊な電子原理を経て時間差を発生させ、物理原理結合後に発生する平面転移現象を経過し、さらに人体の生理原理を通して、人体左右の目の受け取る映像を利用し、大脳の結合を経過して、特殊な電子メガネレシーバーを通して、両目を経た後、大脳の運用により、立体効果を発生し、この効果は平面を立体化することができるばかりか、生活に面白みを溶け込ませ、テクノロジーと生活に相補、相乗の境界を達成させ、より良いバーチャルリアリティの効果を実現することができる平面映像を立体映像に転換する装置を提供することである。
【課題を解決するための手段】
【０００５】
上記課題を解決するため、本考案は下記の平面映像を立体映像に転換する装置を提供する。
平面映像を立体映像に転換する装置は、映像入力回路、映像制御回路、奇数/偶数水平シフト映像を出力する赤外線(IR)回路、奇数/偶数水平シフト映像を受け取る赤外線(IR)メガネを備え、
映像は、該映像入力回路を経て入力され、映像を分離し、色彩を分離し、さらに該映像制御回路を通して、映像を奇数映像と偶数映像に分離し、奇数/偶数映像に分離した時には、時間差コントローラーを利用し、奇数映像或いは偶数映像に遅延を生じさせ、水平シフト回路コントローラーを経て統合後、映像を発生し、ピクセルディテクターへと伝送し、映像の色彩を復元し、
該映像入力回路を通して、２つに分け、
一つでは、映像整形器と分圧器を経た後、映像を修正して左右転移信号を発生し、左右転移信号を、転移コントローラーに連結し、
映像転移調整ボタンを通して、個人の必要に応じて適度に調整することができ、
もう一つでは、映像を処理後に、該映像入力回路を通して、映像を奇数/偶数水平シフト映像を出力する赤外線(IR)回路上に伝送し、さらに奇数/偶数水平シフト映像を受け取る赤外線(IR)メガネを通して受け取り、
該赤外線(IR)メガネは、光学原理を通して、左右目の遮蔽効果を発生し、人の生理原理には一時的な視覚遅延効果があるため、この原理を利用して、キャッシュフラッシュ(CF)レンズを通して平行転移映像を受け取り、大脳で組合せを行い、立体画面を現出させる。
【考案の効果】
【０００６】
本考案平面映像を立体映像に転換する装置は、映像整形器、分圧器を利用し、特殊な原理を通して、映像を分離後、奇数映像と偶数映像と成し、時間差コントローラーを利用して、奇数/偶数映像に遅延を生じさせ、水平シフト回路を通した後、映像ソフトを形成すると同時に動作し、デジタルディテクターにまで映像を伝送し、映像回路に入力し、奇数/偶数映像をそれぞれ映像整形器と分圧器に送り、映像発振器を経て左右コントローラーを分離した後、転移コントローラーに送り、映像転移調整ボタンを提供し、適当に転移を調整し、奇数/偶数水平シフト映像を出力する赤外線(IR)回路を経た後、奇数/偶数水平シフト映像を受け取る赤外線(IR)メガネにより受け取り、こうして立体映像を観視する効果を達成することができ、一切のソフト、或いはハードウエアを通す必要がなく、この装置を通すだけで、立体効果を達成可能で、その装置構造は前代未聞であり、新規性と進歩性を備えており、高い実用の価値を備える考案である。
【図面の簡単な説明】
【０００７】
【図１】等しく平面画面を主とするすべてのコンピューターを示す模式図である。
【図２】本考案装置と映像シフトを示す模式図である。
【図３】本考案装置の回路図である。
【考案を実施するための形態】
【０００８】
図２、３に示すように、本考案平面映像を立体映像に転換する装置１０は、映像入力回路１、映像制御回路２、奇数/偶数水平シフト映像を出力する赤外線(IR)回路３、奇数/偶数水平シフト映像を受け取る赤外線(IR)メガネ４を備える。映像は、映像入力回路１から、映像整形器１１を経て分圧器１２に至る。映像転移１３は、R、G、Bを分離し、さらに映像制御回路２に伝送し、奇数映像２１と偶数映像２２を分離する。分離後は、時間差コントローラー２３を通じて水平シフト回路２４を生じ、ピクセルディテクター２５へと伝送する。さらに、映像入力回路１を通して、２本の伝送線路を生じる。第一線路では、映像を分離後に、映像整形器１１aに伝送し、さらに分圧器１２a上に伝送し、映像転移発振器１４Bを経過後、左右調整器１５を通して、転移コントローラー１６へと至り、映像の水平位置を調整する。第二線路では、映像入力回路１を通して、奇数映像２１a及び偶数映像２２aを、奇数/偶数水平シフト映像を出力する赤外線(IR)回路３上に伝送し、赤外線(IR)或いは伝送を通して、信号を、奇数/偶数水平シフト映像を受け取る赤外線(IR)メガネ４上に伝送する。
【０００９】
本考案の運用について、以下に説明する。コンピューター映像画面を、平面映像を立体映像に転換する装置の原理を利用し、奇数/偶数映像を適度にシフトし、発生した映像は、スクリーンに表示された後、奇数/偶数映像を受け取る赤外線(IR)メガネを利用して受け取る。受け取った後は、赤外線(IR)めがねキャッシュフラッシュ(CF)レンズ(液晶チップ)の快速遮蔽機能を通して、立体映像を発生させる。
【００１０】
本考案は立体シフト装置を通して映像をシフトするため、ソフト或いは他の装置の利用を必要とせずに、映像をシフトして出力することができる。シフト映像を出力後は、奇数/偶数映像を受け取る赤外線(IR)メガネを利用して、静態画面、写真、PCゲーム、ビデオ、インターネットの画面、さらには使用しているオペレーションシステムなどを受け取ることができる。このように、この立体シフト装置を設置するだけで、立体及び平面映像を簡単に操作、制御することができる。装置中には、映像転移調整ボタン５を設置するため、観視時に必要に応じて適度に調整することができる。
【００１１】
赤外線(IR)メガネはキャッシュフラッシュ(CF)カラー液晶チップで、ハイテク技術を利用して生産される製品であるため、液晶チップ上に生じる毎秒1000回数に達する更新周波数を通して、観視時に、点滅が発生し、観視の品質に影響を及ぼすことはない。分離映像が伝送される時には、液晶チップメガネ上の赤外線受信器により受け取り、こうして直ちに立体効果を達成することができる。
【００１２】
本考案の運用原理とその特徴は以下の通りである。
１．電子原理：映像伝送は、コンピューター本体に搭載されるグラフィックカードを利用し、映像を圧縮処理しグラフィックカードから直接モニターへと表示する。さらに、搭載されるオペレーションシステムとグラフィックカードドライバーソフトを利用し、映像を生き生きと表示し、グラフィックカード上に電子原理を利用し、色彩をより生き生きと、より多様にする。
２．物理原理：映像が伝送され受け取られる時、多数のプロセスを経過する。映像が圧縮され映像が解凍されるまで、取り込まれたあと再生されるまで、再構築から復元まで、すべて数本のルートを経過し、初めてリアルな画面が出現する。このルートは、電圧と電流が生じる多層の光覚原理を経過する。電圧と電流は映像伝送の問題を決定する他、それが生じる映像ボルト数などもすべて、映像と音声の品質を決定する。物理原理の処理により、電圧と電流の進行方向を変化させ、またはその電圧或いは電流を低下させ、これにより生じる映像も変化し、或いは異なるものとなる。伝送過程において色彩及び音声を改変しないが、映像は既に物理変化及び電子伝送を経て変化しており、特殊な処理を経て復元され、異なる画面を得ることができ、さらに、映像受け取りを通して、立体映像を眼前に現出させることができる。
３．人体生理原理：人体の生理構造の多くは人それぞれであるが、反応と処理ロジックは大方において大同小異である。情報が通過すると、両目または両耳、或いは触覚などはみな、大脳の左右両側での処理を経た後に反応する。大脳は、処理過程において、いわゆる反応処理の現況一時停止を生じる。反応が一時停止する時間は非常に短く、大脳処理が速ければ速いほど反応も速くなるが、速度がどれほど速くても、やはり一時停止の時間は生じる。この一時停止時間が、物理原理と電子原理の反応を結びつけ、異なる画面を発生する。
４．視覚一時停止原理：両目でものを見る時には、左右両目を経て見ているが、左目で見た角度及び位置と、右目で見た角度及び位置には、すべて差がある。両目を経過し、大脳による統合を反映して現れるものが、もし映像画面とするなら、視覚一時停止原理を利用し、映像を特殊レシーバーを通して、目に送り目で見る時、立体となって表示される。
５．映像レシーバー(メガネ)：ハイテク製品であるキャッシュフラッシュ(CF)レンズ(液晶チップ)を利用し、人体の視覚一時停止を、生理から電子制御に改変する。キャッシュフラッシュ(CF)の快速遮蔽機能は、人体の反応速度の何倍も速いが、それを通して受け取る時には不適応感を生じることはない。反対に、観視時には、より立体的で、より明晰で、色彩はよりリアルとなり、画面は精緻となる。
６．運用レベル：映像の伝送を通して、映像を、各ソフト中から取り込み、圧縮して伝送する。伝送時には、グラフィックカードの解凍を経て受け取る。受け取り後は、ノイズを除去し、リアルな映像と色彩を復元し、物理原理を利用し、映像が時間差を発生後、再び復元し、さらに映像を出力する。人体の生理原理と視覚一時停止機能を利用し、映像レシーバー(メガネ)により映像を受け取り、こうして異なる立体画面を表示することができる。
７．映像の伝送は、数本の伝送を経過するが、圧縮から解凍までの過程では、映像を眼前へと伝送する。映像が送られる時、受け取り、発送などを経過するが、両目から大脳までの組合せ反応などを通して、その送られた映像内容を感じる。この過程において、人体が経る生理原理反応は、非常に重要な一環で、電子伝送はやはり機器原理、及び物理原理を通して、組み合わされる。映像はあらゆるディスプレーを通して、眼前に表示される時、その反応の速度は、毎秒60個の画面を表示するほどの速度で、各目は30個の画面を見ているに等しい。画面が各目により受け取られた後、左目が見ているものと右目が見ているものとは、角度及び方向がすべて異なるため、両目による組合せを経ると、可視の範囲映像に変化して、目には見えるようになる。
８．左目で左側を見て、右目で右側を見る方法を利用して観視し、さらに液晶メガネの遮蔽機能を通し、両目を経て観視するなら、見える画面は、動態であろうと静態であろうと、すべて立体の映像として現れる。いかにして画面に立体映像を生じさせるか。一般の画面伝送はすべて平面であり、制作方法も平面方式により撮影されるため、観視時にも当然平面である。しかし、映像水平シフト時に生じる迅速シフトを経過し、さらに特殊レシーブメガネを利用して、人体の視覚一時停止機能を経ることで、立体に見ることができる。
９．相同の映像を平行シフトし、電子伝送と物理作用原理を経過すれば、立体画像を見ることができ、ビデオ、PCゲームなどでもみな相同である。
１０．人体の視覚一時停止：映像を受け取り大脳へと伝送すると、人体の目の組合せ及び受け取った角度を経て左右脳に送り、分析し、透視し、組合せし、こうして目に見える画面を生じる。伝送の過程において、いわゆる視覚一時停止を経過し、目が立体画像を観視する時、視覚の関係により発生し得る変化は、時には上向きの感覚で、時には下向きの感覚である。これがいわゆる人体の生理原理である。
【００１３】
テクノロジーは日進月歩で、絶えず新しく進歩を続けている今、個人の生活の質を高めるため、品質を向上させる時、いかにして新製品を発明し、すべての人がハイテクがもたらす利益を享受可能とすることが求められている。
【００１４】
電子製品、光学、デジタル、バイオテクノロジーなどの従来の製品において、その発展の速度は既に非常に高速だが、テクノロジーとバイオテクノロジーを一体に結び付けることが、我々の目標であり、我々の技術の重点である。今日、この製品はテクノロジーとバイオテクノロジーを結合し、人々が生活において、異なるバーチャルリアリティを得て、さらに一層の色彩を加える製品の開発に成功した。平面映像を立体に転換する装置を利用し、すべての映像、動画、ゲームを立体に転換し、立体メガネを通して受け取り、観視する。
これにより、レジャーと仕事を融合させ、生活をより豊かでバラエティに富んだものとすることができる。これこそ一種の多元化された発明に他ならない。
【００１５】
上記したように、本装置は、映像整形器、分圧器を利用し、特殊な原理を通して、映像を分離後、奇数映像と偶数映像と成し、時間差コントローラーを利用して、奇数/偶数映像に遅延を生じさせ、水平シフト回路を通した後、映像ソフトを形成すると同時に動作し、デジタルディテクターにまで映像を伝送し、映像回路に入力し、奇数/偶数映像をそれぞれ映像整形器と分圧器に送り、映像発振器を経て左右コントローラーを分離した後、転移コントローラーに送り、映像転移調整ボタンを提供し、適当に転移を調整し、奇数/偶数水平シフト映像を出力する赤外線(IR)回路を経た後、奇数/偶数水平シフト映像を受け取る赤外線(IR)メガネにより受け取り、こうして立体映像を観視する効果を達成することができ、一切のソフト、或いはハードウエアを通す必要がなく、この装置を通すだけで、立体効果を達成可能で、その装置構造は前代未聞であり、新規性と進歩性を備えており、高い実用の価値を備える考案である。
【符号の説明】
【００１６】
１０  平面映像を立体映像に転換する装置
１  映像入力回路
２  映像制御回路
３  奇数/偶数水平シフト映像を出力する赤外線(IR)回路
４  奇数/偶数水平シフト映像を受け取る赤外線(IR)メガネ
５  映像転移調整ボタン
１１、１１a  映像整形器
１２、１２a  分圧器
１３  映像転移
１４  映像転移発振器
１５  左右調整器
１６  転移コントローラー
２１、２１a  奇数映像
２２、２２a  偶数映像
２３  時間差コントローラー
２４  水平シフト回路
２５  ピクセルディテクター
【手続補正２】
【補正対象書類名】実用新案登録請求の範囲
【補正対象項目名】全文
【補正方法】変更
【補正の内容】
【実用新案登録請求の範囲】
【請求項１】
映像入力回路、映像制御回路、奇数/偶数水平シフト映像を出力する赤外線回路、奇数/偶数水平シフト映像を受け取る赤外線メガネを備え、
映像は、前記映像入力回路から、映像整形器を経て分圧器に至り、
映像転移は、R、G、Bを分離し、さらに前記映像制御回路に伝送し、奇数映像と偶数映像を分離し、
分離後は、時間差コントローラーを通じて水平シフト回路を生じ、ピクセルディテクターへと伝送し、
さらに、前記映像入力回路を通して、２本の伝送線路を生じ、
第一線路では、映像を分離後に、映像整形器に伝送し、さらに分圧器に伝送し、映像転移発振器を経過後、左右調整器を通して、転移コントローラーへと至り、映像の水平位置を調整し、
第二線路では、前記映像入力回路を通して、奇数映像及び偶数映像を、前記奇数/偶数水平シフト映像を出力する赤外線回路上に伝送し、赤外線或いは伝送を通して、信号を、前記奇数/偶数水平シフト映像を受け取る赤外線メガネ上に伝送し、前記赤外線メガネの光学原理が生じる左右目の遮蔽効果と人体生理上の視覚一時停止作用を通して、大脳により組合せを行い、
立体画面を表示することを特徴とする平面映像を立体映像に転換する装置。
【請求項２】
前記装置中には、映像転移調整ボタンを設置し、観視時に、個人の必要に応じて適度に調整することができることを特徴とする請求項１に記載の平面映像を立体映像に転換する装置。
【請求項３】
前記奇数/偶数水平シフト映像を受け取る赤外線メガネは、液晶チップを採用することを特徴とする請求項１に記載の平面映像を立体映像に転換する装置。
【手続補正３】
【補正対象書類名】図面
【補正対象項目名】図３
【補正方法】変更
【補正の内容】
【図３】
0003160340.tif 000006